(57)【要約】【課題】投写画像に歪補正が施され画質が劣化していることをユーザーに報知し、設置位置を見直すなど促すことができるプロジェクターを提供する。【解決手段】画像投写手段１０と、歪補正手段（台形歪補正手段１５）と、補正量設定手段（制御手段２０）とを備えたプロジェクター１において、歪補正の補正量が所定の範囲内でない場合（ステップＳ１０４：Ｎ）に報知手段（報知ＬＥＤ２５）により報知する（ステップＳ１０５）。【選択図】図７
2014212467.tif 000002
【特許請求の範囲】
【請求項１】
光源から射出された光を、画像入力端子から入力される画像信号に基づく画像情報に応じて変調し、投写面に投写する画像投写手段を有するプロジェクターであって、
前記投写面に投写された投写画像の投写歪を補正する補正量を設定する補正量設定手段と、
前記補正量に基づき、前記投写画像の歪補正を実行する歪補正手段と、
前記補正量がゼロでない場合に、補正画像に前記歪補正がされていることを報知する報知手段と、
を備えたことを特徴とするプロジェクター。
【請求項２】
請求項１に記載のプロジェクターにおいて、
前記報知手段は、
当該プロジェクターの設定項目を設定するメニュー設定モードにおいて、前記投写面上に報知画像を投写することにより報知することを特徴とするプロジェクター。
【請求項３】
請求項１または２に記載のプロジェクターにおいて、
当該プロジェクターは複数の前記画像入力端子を備え、
前記報知手段は、
前記画像信号が入力される前記画像入力端子を切り換えたとき、前記投写面上に報知画像を投写することにより報知することを特徴とするプロジェクター。
【請求項４】
請求項１から３のいずれか一項に記載のプロジェクターにおいて、
前記画像入力端子に画像信号が入力されているか否かを検出する画像信号検出手段をさらに備え、
前記報知手段は、
前記画像信号検出手段による前記画像信号の検出状態が変化したとき、前記投写面上に報知画像を投写することにより報知することを特徴とするプロジェクター。
【請求項５】
請求項１から４のいずれか一項に記載のプロジェクターにおいて、
前記報知手段は、前記補正量が所定の範囲を超えている場合に報知することを特徴とするプロジェクター。
【請求項６】
請求項２から５のいずれか一項に記載のプロジェクターにおいて、
入力操作を受け付ける入力操作手段をさらに備え、
前記補正量設定手段は、前記報知画像を投写している場合、前記入力操作手段より所定の補正量変更操作を受け付けたときに前記補正量がゼロまたは所定の範囲内になるよう変更することを特徴とするプロジェクター。
【請求項７】
光源から射出された光を画像情報に応じて変調し、投写面に投写する画像投写手段を有するプロジェクターの制御方法であって、
前記投写面に投写された投写画像の投写歪を補正する補正量を設定する補正量設定ステップと、
前記補正量に基づき、前記投写画像の歪補正を実行する歪補正ステップと、
前記補正量がゼロでない場合に、補正画像に前記歪補正がされていることを報知する報知ステップと、
を有することを特徴とするプロジェクターの制御方法。
【発明の詳細な説明】
【技術分野】
【０００１】
本発明は、プロジェクター、及びプロジェクターの制御方法に関する。
【背景技術】
【０００２】
従来、画像をスクリーン等の投写面に投写するプロジェクターにおいて、投写面（スクリーン等）に対してプロジェクターの設置位置が正対していない場合に投写画像に歪みが生じる（投写歪）。例えば、スクリーンに対してプロジェクターを上下または左右方向に傾けて投写する、あおり投写を行った場合、スクリーンに表示される画像が台形状に歪む現象（台形歪）が生じる。このため、特許文献１のように、光変調装置で画像を形成する際に台形歪を相殺するように歪ませた画像を形成することによって投写画像を補正するプロジェクターが知られている。
【０００３】
また、特許文献２のように、プロジェクターの設置角度を自動検出して、台形歪補正を行うプロジェクターも開示されている。
【先行技術文献】
【特許文献】
【０００４】
【特許文献１】特開平９−２６１５６８号公報
【特許文献２】特開２００３−２８３９６３号公報
【発明の概要】
【発明が解決しようとする課題】
【０００５】
しかしながら、特許文献１に開示される台形歪補正処理においては、補正前の画像に対して画素の間引きを行うので、補正後の画像は画質が劣化するという問題がある。補正量が大きければ画素間引き量が大きくなり、画質の劣化も大きくなる。そのため、画質の劣化を抑えるためにはプロジェクターの設置位置を変更し、補正量を抑える必要があった。また、特許文献２に開示される台形歪補正処理においては、プロジェクターの設置角度を自動検出して台形歪補正を行うため、ユーザーは、画像が補正されていることに気付かず、画質が劣化した状態のままプロジェクターを使用してしまうという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を、画像入力端子から入力される画像信号に基づく画像情報に応じて変調し、投写面に投写する画像投写手段を有するプロジェクターであって、前記投写面に投写された投写画像の投写歪を補正する補正量を設定する補正量設定手段と、前記補正量に基づき、前記投写画像の歪補正を実行する歪補正手段と、前記補正量がゼロでない場合に、補正画像に前記歪補正がされていることを報知する報知手段と、を備えたことを特徴とする。
【０００８】
本適用例によれば、歪補正の補正量がゼロでない場合に、報知手段により投写画像に歪補正がされていることをユーザーに報知する。これにより、ユーザーが歪補正されていることに気付かないままプロジェクターを使用することを防止し、プロジェクターの設置位置を見直すなど歪補正の補正量を抑えるよう促すことが可能となる。
【０００９】
［適用例２］上記適用例に記載のプロジェクターにおいて、前記報知手段は、当該プロジェクターの設定項目を設定するメニュー設定モードにおいて、前記投写面上に報知画像を投写することにより報知することが好ましい。
【００１０】
本適用例によれば、プロジェクターの設定項目を設定するメニュー設定モードにおいて、報知画像が投写される。これにより、プロジェクターの使用開始時や設定変更時などにメニュー設定モードを開始したとき、投写画像に歪補正がされていることをユーザーに報知することが可能となる。
【００１１】
［適用例３］上記適用例に記載のプロジェクターにおいて、当該プロジェクターは複数の前記画像入力端子を備え、前記報知手段は、前記画像信号が入力される前記画像入力端子を切り換えたとき、前記投写面上に報知画像を投写することにより報知することが好ましい。
【００１２】
本適用例によれば、画像信号が入力される画像入力端子を切り換えたときに報知画像が投写される。これにより、プロジェクターの使用開始時や入力変更時などにおいて、画像信号を入力する画像入力端子を切り換えたとき、投写画像に歪補正がされていることをユーザーに報知することが可能となる。
【００１３】
［適用例４］上記適用例に記載のプロジェクターにおいて、前記画像入力端子に画像信号が入力されているか否かを検出する画像信号検出手段をさらに備え、前記報知手段は、前記画像信号検出手段による前記画像信号の検出状態が変化したとき、前記投写面上に報知画像を投写することにより報知することが好ましい。
【００１４】
本適用例によれば、画像入力端子に入力される画像信号の検出状態が変化したときに報知画像が投写される。これにより、プロジェクターに入力する映像機器の接続変更などにより画像信号の検出状態が変化したとき、投写画像に歪補正がされていることをユーザーに報知することが可能となる。
【００１５】
［適用例５］上記適用例に記載のプロジェクターにおいて、前記報知手段は、前記補正量が所定の範囲を超えている場合に報知することが好ましい。
【００１６】
本適用例によれば、投写画像に施された歪補正の補正量が所定の範囲を超えている場合に報知することにより、補正量が所定の範囲内なら報知せず、所定の範囲を超えた場合にのみ報知することができる。これにより、歪補正の補正量が大きくなりプロジェクターの設置位置も見直した方がいい場合にのみユーザーに報知することが可能となる。
【００１７】
［適用例６］上記適用例に記載のプロジェクターにおいて、入力操作を受け付ける入力操作手段をさらに備え、前記補正量設定手段は、前記報知画像を投写している場合、前記入力操作手段より所定の補正量変更操作を受け付けたときに前記補正量がゼロまたは所定の範囲内になるよう変更することが好ましい。
【００１８】
本適用例によれば、プロジェクターの設置位置を変えることができないような場合に、歪補正の補正量をゼロまたは所定の範囲内に変更し、投写画像の画質の劣化を抑えることが可能となる。
【００１９】
［適用例７］本適用例に係るプロジェクターの制御方法は、光源から射出された光を画像情報に応じて変調し、投写面に投写する画像投写手段を有するプロジェクターの制御方法であって、前記投写面に投写された投写画像の投写歪を補正する補正量を設定する補正量設定ステップと、前記補正量に基づき、前記投写画像の歪補正を実行する歪補正ステップと、前記補正量がゼロでない場合に、補正画像に前記歪補正がされていることを報知する報知ステップと、を有することを特徴とする。
【００２０】
本適用例によれば、歪補正の補正量がゼロでない場合に、報知ステップを実行することにより投写画像に歪補正がされていることをユーザーに報知する。これにより、ユーザーが歪補正されていることに気付かないままプロジェクターを使用することを防止し、プロジェクターの設置位置を見直すなど歪補正の補正量を抑えるよう促すことが可能となる。
【図面の簡単な説明】
【００２１】
【図１】実施形態に係るプロジェクターの回路構成を示すブロック図。
【図２】液晶ライトバルブを示す正面図。
【図３】プロジェクターの設置角度検出の原理を示す説明図。
【図４】台形歪を説明するための説明図。
【図５】台形歪補正を説明するための説明図。
【図６】報知画像が投写された状態を示す図。
【図７】プロジェクターが補正量の設定を行うときの動作を示すフローチャート。
【図８】プロジェクターのメニュー設定モードの動作を示すフローチャート。
【図９】プロジェクターが画像入力端子を切り換えたとき、および画像信号の検出状態の変化を検出した場合の動作を示すフローチャート。
【図１０】プロジェクターが報知画像投写中に補正量の設定変更操作を受け付けたときの動作を示すフローチャート。
【発明を実施するための形態】
【００２２】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
なお、本実施形態においては、投写歪の一例として台形歪について記述する。台形歪補正が歪補正に相当する。
【００２３】
（実施形態）
図１は、本実施形態のプロジェクター１の回路構成を示すブロック図である。
図１に示すように、プロジェクター１は、画像入力端子６、画像投写手段１０、台形歪補正手段１５、ＯＳＤ処理手段１６、画像信号処理手段１７、画像信号入力手段１８、角度検出手段１９、制御手段２０、記憶手段２１、光源制御手段２２、入力操作手段２３、報知ＬＥＤ２５、画像信号検出手段２６、電源端子３０、電源部３１等で構成されており、これらは図示しない筐体の内部または外面に収容されている。
【００２４】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。画像投写手段１０は報知手段にも相当する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
図２は、液晶ライトバルブ１２Ｒ，１２Ｇ，１２Ｂを示す正面図である。液晶ライトバルブ１２Ｒ，１２Ｇ，１２Ｂは、一対の透明基板間に液晶が封入された液晶パネル等によって構成される。図２に示すように、各透明基板の内面には、液晶に対して微小領域（画素１２ｐ）毎に駆動電圧を印加可能な透明電極（画素電極）が、矩形の領域（画素領域１２ａ）内にマトリックス状に形成されている。
【００２７】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写され投写画像となる。
【００２８】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２９】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３０】
図１に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は補正量設定手段に相当し、記憶手段２１の台形歪補正情報２１ａに台形歪補正の補正量を設定する。
【００３１】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では記憶手段２１は、台形歪補正情報２１ａを保存する。台形歪補正情報２１ａには台形歪補正の補正方向（垂直方向、水平方向）、補正量、角度検出手段１９の検出した設置角度に対応する補正量などが保存される。台形歪補正手段１５は台形歪補正情報２１ａの補正量に基づき投写画像に台形歪補正を実行する。
【００３２】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００３３】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００３４】
報知ＬＥＤ２５は、図示しないプロジェクター１の筐体の外面に備えられ、プロジェクター１の各種動作状態を報知する。本実施形態において報知ＬＥＤ２５は、報知手段に相当し、台形歪補正情報２１ａの補正量が所定の範囲外であることを報知する。
【００３５】
角度検出手段１９は、加速度センサー１９ａ（図３参照）等を有して構成され、制御手段２０の指示に基づいて、プロジェクター１の設置角度を検出する。そして、検出した設置角度を制御手段２０に通知する。
【００３６】
ここで、プロジェクター１の設置角度を検出する方法について説明する。図３は、プロジェクター１の設置角度検出の原理を示す説明図である。本図は、プロジェクター１とその設置面Ｈ、およびスクリーンＳＣを投写方向の右側側面から表した図である。設置面Ｈは水平であるものとする。本実施形態ではプロジェクター１の設置角度の検出に、加速度センサー１９ａを用いる。加速度センサー１９ａは、プロジェクター１内部に実装されており、図３の一点鎖線上の図中左側方向（プロジェクター１後方）に働く加速度を検出する。
【００３７】
図３に示すように、プロジェクター１を設置角度θ傾斜して設置すると、図示するように、一点鎖線上の加速度成分は、ｇ・ｓｉｎθとなる。加速度センサー１９ａは、この加速度成分に応じた電圧を出力する。これにより、角度検出手段１９は、加速度センサー１９ａから出力された電圧値に基づいてプロジェクター１の設置角度を検出することできる。
なお、本実施形態では、加速度センサー１９ａを用いるものとしたが、プロジェクター１の設置角度を検出できる機構であれば、加速度センサー１９ａに限定するものではない。
【００３８】
図１に戻り、光源制御手段２２は、制御手段２０の指示に基づいて、光源１１に対する電力の供給と停止とを制御し、光源１１の点灯、および消灯を切り替える。
【００３９】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７、および画像信号検出手段２６に出力される。なお、画像信号入力手段１８は、無線通信や光通信などの受信部を備え、外部機器から無線によって画像信号を入力する構成にしてもよい。
【００４０】
画像信号検出手段２６は、画像信号入力手段１８に画像入力端子６から有効な画像信号が入力されているか否かの検出結果を制御手段２０に出力する。
【００４１】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４３】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００４４】
台形歪補正手段１５は、スクリーンＳＣに対してプロジェクター１を傾けた状態で画像を投写する場合に、投写画像が傾斜方向に拡大してしまう歪（台形歪）を抑制するために、入力される画像データの補正（台形歪補正）を行う。入力操作手段２３から入力される台形歪補正指示の情報や、角度検出手段１９が検出したプロジェクター１の設置角度の情報に基づいて、制御手段２０は、台形歪補正手段１５に対して台形歪補正の実施を指示し、台形歪補正手段１５は台形歪補正を実施する。なお、台形歪補正手段１５は、歪補正手段に相当する。
【００４５】
台形歪補正とは、画像データから画素値の間引きを行って、傾斜方向に向かうほど投写画像を縮小させるものであり、台形歪補正手段１５は、補正後の画像データを液晶駆動手段１４に出力する。
なお、台形歪補正を行わない場合には、ＯＳＤ処理手段１６から出力される画像データが、そのまま液晶駆動手段１４に出力される。
【００４６】
液晶駆動手段１４が、ＯＳＤ処理手段１６より入力される画像情報、即ち画素１２ｐ毎の画素値に従って液晶ライトバルブ１２Ｒ，１２Ｇ，１２Ｂを駆動すると、画像情報に応じた画像が投写レンズ１３より投写され、スクリーンＳＣの投写面に投写画像が表示される。
【００４７】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４８】
次に、台形歪補正手段１５による台形歪補正について、図４、および図５を用いて説明する。
図４は、台形歪を説明するための説明図であり、画像データに対して台形歪補正を施していない状態を示す図である。ここで、同図（ａ）は、液晶ライトバルブ１２Ｒ，１２Ｇ，１２Ｂを光入射面側から見た正面図、同図（ｂ）は、プロジェクター１が水平に投写を行う様子を示す側面図、同図（ｃ）は、そのときにスクリーンＳＣに表示される投写画像を示す正面図である。また、同図（ｄ）は、プロジェクター１を傾けた状態で投写する様子を示す側面図であり、同図（ｅ）は、そのときにスクリーンＳＣに表示される投写画像を示す正面図である。
【００４９】
なお、図４において、液晶ライトバルブ１２Ｒ，１２Ｇ，１２Ｂに向かって左右方向（水平方向の左右）を±ｘ方向、上下方向（垂直方向の上下）を±ｙ方向とし、スクリーンＳＣに向かって左右方向（水平方向の左右）を±Ｘ方向、上下方向（垂直方向の上下）を±Ｙ方向とする。ここで、スクリーンＳＣのＸ方向及びＹ方向は、それぞれ液晶ライトバルブ１２Ｒ，１２Ｇ，１２Ｂのｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００５０】
また、図４、および図５において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００５１】
図４（ａ）に示すように、台形歪補正を行わない場合には、液晶ライトバルブ１２Ｒ，１２Ｇ，１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図４（ｂ），（ｃ）に示すように、プロジェクター１が水平に設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００５２】
一方、図４（ｄ），（ｅ）に示すように、プロジェクター１をスクリーンＳＣに対して傾けて設置し、上方（＋Ｙ方向）に向けて投写を行う場合には、スクリーンＳＣに表示される投写画像Ｇａは、傾斜方向（＋Ｙ方向）に向かうほど、±Ｘ方向及び＋Ｙ方向に拡大されて台形状に歪む。本実施形態では、このように＋Ｙ方向（垂直方向）の傾斜投写を行った場合の台形歪補正について記載する。
【００５３】
図５は、台形歪補正を説明するための説明図であり、同図（ａ）は、液晶ライトバルブ１２Ｒ，１２Ｇ，１２Ｂを光入射面側から見た正面図、同図（ｂ）は、傾斜投写を行う場合にスクリーンＳＣに表示される補正画像としての投写画像を示す正面図である。
【００５４】
台形歪補正手段１５は、ＯＳＤ処理手段１６から入力される画像データから画素値の間引きを行い、補正を行わない場合に比べて、投写画像Ｇａが傾斜方向（＋Ｙ方向）に向かうほど縮小するような補正を施す。
【００５５】
具体的には、図５（ａ）に示すように、液晶ライトバルブ１２Ｒ，１２Ｇ，１２Ｂの画素領域１２ａに、補正を行わない投写画像Ｇａと反対向きの台形形状、即ち傾斜方向（＋ｙ方向）に向かうほど横幅が縮小する形状の画像形成領域１２ｉを設定する。さらに、画像データから、あおり投写による拡大の程度が高い位置ほど多くの画素値を間引くことにより、この画像形成領域１２ｉ内に入力画像Ｇｉを形成する。
また、台形歪補正手段１５は、画像形成領域１２ｉの外側の領域１２ｎに含まれる各画素１２ｐの光透過率が最小となるように画像データを補正する。
【００５６】
この結果、図５（ｂ）に示すように、傾斜投写による入力画像Ｇｉのゆがみが補正されるとともに、領域１２ｎに対応する投写画像Ｇａ内の領域Ｇｎには光がほとんど照射されないことから、入力画像Ｇｉは、正規の形状（矩形状）でスクリーンＳＣに表示される。なお、画素値の間引きに伴う階調情報の欠落を補うために、間引きの対象となる画素に近接する画素の画素値を、間引かれる画素値に応じて補正することが望ましい。
【００５７】
次に、本実施形態のプロジェクター１の動作を図７〜図１０のフローチャートを用いて説明する。図７はプロジェクター１が台形歪補正の補正量の設定を行うときの動作、図８はプロジェクター１のメニュー設定モードの動作、図９はプロジェクター１が画像信号入力手段１８に入力される画像入力端子６を切り換えたときの動作、および画像信号の検出状態の変化を検出した場合の動作、図１０はプロジェクター１が報知画像投写中に補正量の設定変更操作を受け付けたときの動作、を示すフローチャートである。
【００５８】
また、図６は、報知画像ＰＡ１が投写された状態を示す図であり、同図（ａ）は、メニュー設定モードでの報知画像ＰＡ１を示す図であり、同図（ｂ）は、画像入力端子６を切り換えた状態での報知画像ＰＡ１を示す図であり、同図（ｃ）は、画像信号検出状態の変化を検出した状態での報知画像ＰＡ１を示す図である。なお、図６に示す報知画像ＰＡ１は、以降の、図７〜図１０のフローチャートを説明する中で適宜用いる。
【００５９】
〔補正量の設定〕
図７に示すように、プロジェクター１が台形歪補正の補正量の設定動作をスタートすると（ステップＳ１０１）、制御手段２０は、台形歪補正情報２１ａに台形歪補正の補正量を設定する（ステップＳ１０２）。具体的には、プロジェクター１が電源オンするとき、およびプロジェクター１が動作中に角度検出手段１９が設置角度の変化を検出した場合は、角度検出手段１９が検出した設置角度に基づく補正量を台形歪補正情報２１ａに設定する。また、入力操作手段２３による補正量変更操作を受け付けた場合には、操作に基づく補正量を台形歪補正情報２１ａに設定する。次にステップＳ１０３に遷移する。ステップＳ１０２が補正量設定ステップに相当する。
【００６０】
ステップＳ１０３において、制御手段２０は、台形歪補正手段１５に指示し、台形歪補正情報２１ａに設定された補正量に基づく台形歪補正を実行させる。次に、ステップＳ１０４に遷移する。ステップＳ１０３が歪補正ステップに相当する。
【００６１】
ステップＳ１０４において、制御手段２０は、台形歪補正の補正量が所定の範囲内か否かを調べる。補正量が所定の範囲内の場合（ステップＳ１０４：Ｙ）には、ステップＳ１０６に遷移する。補正量が所定の範囲外の場合（ステップＳ１０４：Ｎ）には、ステップＳ１０５に遷移する。ここで、所定の範囲とは例えば補正量が＋５〜−５の範囲か、または補正量が０、つまり台形歪補正が行われていないかどうかを表す。
【００６２】
ステップＳ１０５において制御手段２０は、報知ＬＥＤ２５により、補正量が所定範囲外であることを報知させ、ステップＳ１０７に遷移する。ステップＳ１０５が報知ステップに相当する。
【００６３】
ステップＳ１０６において制御手段２０は、報知ＬＥＤ２５により、補正量が所定範囲外であることを報知していたら報知を終了させ、ステップＳ１０７に遷移する。
【００６４】
ステップＳ１０７において、本動作フローを終了する。
【００６５】
〔メニュー設定モードの動作〕
図８に示すように、プロジェクター１が動作中に、入力操作手段２３のメニューキーなどにより、メニュー設定モードを開始すると（ステップＳ２０１）、制御手段２０は画像投写手段１０によりメニュー設定画面（図６（ａ）参照）を投写し（ステップＳ２０２）、ステップＳ２０３に遷移する。
【００６６】
ステップＳ２０３において、制御手段２０は、台形歪補正の補正量が所定の範囲内か否かを調べる。補正量が所定の範囲内の場合（ステップＳ２０３：Ｙ）には、ステップＳ２０５に遷移する。補正量が所定の範囲外の場合（ステップＳ２０３：Ｎ）には、ステップＳ２０４に遷移する。
【００６７】
ステップＳ２０４において制御手段２０は、画像投写手段１０により、補正量が所定の範囲を超えていることを報知する報知画像ＰＡ１をメニュー設定画面に重畳させて投写させ、ステップＳ２０５に遷移する。報知画像ＰＡ１を図６（ａ）の右上に示す。報知画像ＰＡ１は台形歪補正の方向、補正量がわかるようになっている。
【００６８】
なお、図６に示す報知画像ＰＡ１は、台形歪補正の方向が垂直方向、補正量が＋６であり、上方向に向かうほど水平方向に縮小する補正であることを示している。図示しないが、台形歪補正の方向が水平方向である場合は、報知画像ＰＡ１は９０度回転し、右方向または左方向に向かうほど垂直方向に縮小する補正であることを示す画像になる。
【００６９】
ステップＳ２０５において、制御手段２０は、入力操作手段２３のメニューキーなどによりメニュー設定モードの終了操作を受け付けたか否かを調べる。メニュー設定モードの終了操作を受け付けた場合（ステップＳ２０５：Ｙ）には、ステップＳ２０６に遷移する。メニュー設定モードの終了操作を受け付けていない場合（ステップＳ２０５：Ｎ）には、ステップＳ２０５に戻る。
【００７０】
ステップＳ２０６において制御手段２０は、画像投写手段１０により、報知画像ＰＡ１が投写されている場合は消去し、ステップＳ２０７に遷移する。
【００７１】
ステップＳ２０７において制御手段２０は、画像投写手段１０により、メニュー設定画面を消去して元の動作に戻り、本動作フローを終了する（ステップＳ２０８）。
【００７２】
〔画像入力端子を切り換えたときの動作〕
図９に示すように、プロジェクター１が動作中に、入力操作手段２３の入力切替キー操作により、画像信号が入力される画像入力端子６の切り換え操作を受け付けると（ステップＳ３０１）、制御手段２０は画像信号入力手段１８に指示して画像入力端子６を切り換え（ステップＳ３０２）、ステップＳ３０３に遷移する。
【００７３】
ステップＳ３０３において、制御手段２０は、台形歪補正の補正量が所定の範囲内か否かを調べる。補正量が所定の範囲内の場合（ステップＳ３０３：Ｙ）には、ステップＳ３０５に遷移する。補正量が所定の範囲外の場合（ステップＳ３０３：Ｎ）には、ステップＳ３０４に遷移する。
【００７４】
ステップＳ３０４において制御手段２０は、画像投写手段１０により、補正量が所定の範囲を超えていることを報知する報知画像ＰＡ１（図６（ｂ），（ｃ）参照）を投写させ、ステップＳ３０５に遷移する。
【００７５】
ステップＳ３０５において、本動作フローを終了する。
【００７６】
〔画像信号検出状態の変化を検出したときの動作〕
図９に示すように、プロジェクター１が動作中に、画像信号検出手段２６により、画像信号入力手段１８に入力される画像信号の検出状態が変化したことを検出すると（ステップＳ３１１）、制御手段２０は画像信号の入力状態に基づき、画像投写手段１０により入力画像、または画像信号が入力されていないことを示す画像（図６（ｃ）参照）を投写（ステップＳ３１２）させ、ステップＳ３０３に遷移する。ステップＳ３０３以降は上述したので説明は省略する。
【００７７】
〔報知画像投写中に補正量の設定変更操作を受け付けたときの動作〕
図１０に示すように、プロジェクター１が報知画像ＰＡ１（図６（ａ）〜（ｃ）参照）を投写中に入力操作手段２３により補正量の設定変更操作を受け付けると（ステップＳ４０１）、制御手段２０は台形歪補正情報２１ａの補正量を所定の値に設定し（ステップＳ４０２）、ステップＳ４０３に遷移する。ここで、所定の値とは例えばゼロまたは所定の小さい値である。
【００７８】
ステップＳ４０３において、制御手段２０は、台形歪補正手段１５に指示し、台形歪補正情報２１ａに設定された補正量に基づく台形歪補正を実行させる。次に、ステップＳ４０４に遷移する。なお、設定された補正量がゼロの場合には台形歪補正を行わない画像が投写される。
【００７９】
ステップＳ４０４において制御手段２０は、画像投写手段１０により、報知画像ＰＡ１を消去し、本動作フローを終了する（ステップＳ４０５）。
【００８０】
上述した実施形態によれば、以下の効果を得られる。
本実施形態のプロジェクター１によれば台形歪補正の補正量がゼロでない場合に、報知ＬＥＤ２５により投写画像に歪補正がされていることをユーザーに報知する。これにより、ユーザーが歪補正されていることに気付かないままプロジェクター１を使用することを防止し、プロジェクター１の設置位置を見直すなど歪補正の補正量を抑えるよう促すことが可能となる。
【００８１】
また、プロジェクター１の設定項目を設定するメニュー設定モードにおいて、報知画像ＰＡ１が投写される。これにより、プロジェクター１の使用開始時や設定変更時などにメニュー設定モードを開始したとき、投写画像に歪補正がされていることをユーザーに報知することが可能となる。
【００８２】
また、画像信号が入力される画像入力端子６を切り換えたときに報知画像ＰＡ１が投写される。これにより、プロジェクター１の使用開始時や入力変更時などにおいて、画像信号を入力する画像入力端子６を切り換えたとき、投写画像に歪補正がされていることをユーザーに報知することが可能となる。
【００８３】
また、画像入力端子６に入力される画像信号の検出状態が変化したときに報知画像ＰＡ１が投写される。これにより、プロジェクター１に入力する映像機器の接続変更などにより画像信号の検出状態が変化したとき、投写画像に歪補正がされていることをユーザーに報知することが可能となる。
【００８４】
また、投写画像に施された歪補正の補正量が所定の範囲を超えている場合に報知することにより、補正量が所定の範囲内なら報知せず、所定の範囲を超えた場合にのみ報知することができる。これにより、歪補正の補正量が大きくなりプロジェクター１の設置位置も見直した方がいい場合にのみユーザーに報知することが可能となる。
【００８５】
また、プロジェクター１の設置位置を変えることができないような場合に、所定の操作により、歪補正の補正量をゼロまたは所定の範囲内に変更し、投写画像の画質の劣化を抑えることが可能となる。
【００８６】
また、本実施形態は、以下のように変更してもよい。
（変形例１）
上述した実施形態ではプロジェクター１は投写歪として台形歪を補正するが、これ以外にも、画像の上下に対して中央が窪んだように歪む糸巻型歪や、画像の上下に対して中央が膨らんだように歪む樽型歪を補正するようにしてもよい。
【００８７】
（変形例２）
上述した実施形態において、台形歪補正の補正量が所定の範囲を超えている場合に報知するが、報知する範囲を多段階にし、例えば補正量が＋１〜＋５，−１〜−５のときは第１報知、補正量が＋６以上、−６以下のときは第２報知、というように報知の仕方を変えるようにしてもよい。
【符号の説明】
【００８８】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…台形歪補正手段、１６…ＯＳＤ処理手段、１７…画像信号処理手段、１８…画像信号入力手段、１９…角度検出手段、１９ａ…加速度センサー、２０…制御手段、２１…記憶手段、２１ａ…台形歪補正情報、２２…光源制御手段、２３…入力操作手段、２５…報知ＬＥＤ、２６…画像信号検出手段、３０…電源端子、３１…電源部、ＳＣ…スクリーン、ＰＡ１…報知画像。
【図１】
2014212467.tif 000003
【図２】
2014212467.tif 000004
【図３】
2014212467.tif 000005
【図４】
2014212467.tif 000006
【図５】
2014212467.tif 000007
【図６】
2014212467.tif 000008
【図７】
2014212467.tif 000009
【図８】
2014212467.tif 000010
【図９】
2014212467.tif 000011
【図１０】
2014212467.tif 000012